(57)【要約】      （修正有）【課題】変動入賞装置と可変表示装置とによる可変表示ゲームのゲーム内容を多様化する。【解決手段】変動入賞口１０を有する変動入賞装置２には停留機構１８と進路切換え機構２８とを設け、停留機構１８には停留球Ｔを検出して可変表示装置の特定領域誘導図柄による図柄の変動表示を開始させる停留球検出スイッチ１９を設ける。特定領域誘導図柄部が特定した図柄が特定の図柄になると、停留機構１８が停留球Ｔを釈放し、また、進路切換え機構２８が、釈放された釈放球を特定領域１５に向って通行させる第１の状態若しくは釈放球を一般領域に導入させる第２の状態に切換えられる。【選択図】図２
2008237922.tif 000002
【特許請求の範囲】
【請求項１】
始動口の入賞によって一時的に開閉される変動入賞口と、この変動入賞口に入賞した入賞球の通過時に前記変動入賞口を特別な開閉態様で開閉させる特別状況が出現して前記入賞球の再度通過時に前記特別状況が再現する特定領域と、前記特別状況の出現が不能な一般領域とを有する変動入賞装置が遊技盤に装着されたパチンコ機において、前記変動入賞装置には前記入賞球を停留させる有効状態および停留した停留球を釈放する失効状態に切換えられる停留機構と、この停留機構から釈放された釈放球を前記特定領域に向って通行させる第１の状態および釈放球を前記特定領域を避けた方向へ変向させる第２の状態に切換えられる進路切換え機構とを設け、前記停留機構を前記有効状態から前記失効状態に切換える切換え時期、および、前記進路切換え機構を前記第１の状態若しくは前記第２の状態に切換える切換え時期が、前記変動入賞口に入賞した入賞球の挙動によって作動する可変表示装置が図柄の変動表示停止時に特定した停止図柄に基づいてそれぞれ指定されるように設定したことを特徴とするパチンコ機。
【請求項２】
前記停留機構にはこの停留機構に停留した停留球を検出して前記可変表示装置による図柄の変動表示を開始させる検出スイッチを設けたことを特徴とする請求項１記載のパチンコ機。
【発明の詳細な説明】
【技術分野】
【０００１】
この発明は特定領域を有する変動入賞装置および可変表示装置を備えたパチンコ機に関する。
【背景技術】
【０００２】
従来の技術とてしては例えば特許文献１がある。この公報には可変入賞装置への入賞に基いて表示結果を導出する可変表示装置と、可変表示装置の表示結果が特定表示結果となったときに特定入賞領域への入賞率を向上せしめる入賞率可変機構とを備えたパチンコ機が開示されている。
【特許文献１】特開昭６−２４６０３７号公報
【発明の開示】
【発明が解決しようとする課題】
【０００３】
上記パチンコ機では遊技球が可変入賞装置に入賞してから入賞球が特定入賞領域若しくは通常入賞領域を通過するまでの限られた時間内に可変表示装置による可変表示ゲームを行い、かつ、入賞率可変機構を作動させる必要があるので、可変表示ゲームが開始されてから終了するまでの時間が短くなって可変表示ゲームに変化を持たせることが困難となる問題点や、可変表示装置が表示する表示結果を確認することができないままゲームが進行する問題点がある。また、可変表示ゲームが行われる時間を長くしようとすると、可変入賞装置が複雑化および大型化してコスト高となる問題点がある。本発明は上記問題点を解消して可変表示ゲームのゲーム内容を多様化することを課題とするものである。
【課題を解決するための手段】
【０００４】
請求項１のパチンコ機は始動口の入賞によって一時的に開閉される変動入賞口と、この変動入賞口に入賞した入賞球の通過時に前記変動入賞口を特別な開閉態様で開閉させる特別状況が出現して前記入賞球の再度通過時に前記特別状況が再現する特定領域と、前記特別状況の出現が不能な一般領域とを有する変動入賞装置が遊技盤に装着されたパチンコ機において、前記変動入賞装置には前記入賞球を停留させる有効状態および停留した停留球を釈放する失効状態に切換えられる停留機構と、この停留機構から釈放された釈放球を前記特定領域に向って通行させる第１の状態および釈放球を前記特定領域を避けた方向へ変向させる第２の状態に切換えられる進路切換え機構とを設け、前記停留機構を前記有効状態から前記失効状態に切換える切換え時期、および、前記進路切換え機構を前記第１の状態若しくは前記第２の状態に切換える切換え時期が、前記変動入賞口に入賞した入賞球の挙動によって作動する可変表示装置が図柄の変動表示停止時に特定した停止図柄に基づいてそれぞれ指定されるように設定した構成を有する。
【０００５】
請求項２の前記停留機構にはこの停留機構に停留した停留球を検出して前記可変表示装置による図柄の変動表示を開始させる検出スイッチを設けた構成を有する。
【０００６】
請求項１のパチンコ機では、変動入賞口に入賞した入賞球の挙動によって可変表示装置が作動し、この可変表示装置が図柄の変動表示停止時に特定した表示結果によっては停留機構が有効状態から無効状態に切換えられて停留機構に停留した停留球が釈放され、また、進路切換え機構が第１の状態若しくは第２の状態に切換えられ、停留機構から釈放された停留球が特定領域に向って通行して特定領域に導入されるか、若しくは特定領域を避けた方向へ変向して一般領域に導入される。
【０００７】
請求項２のパチンコ機では、変動入賞口に入賞した入賞球が停留機構に停留すると、その停留球が検出スイッチによって検出されて可変表示装置が図柄の変動表示を開始し、可変表示装置が図柄の変動表示停止時に特定した表示結果によっては停留機構が作動し、また、進路切換え機構が作動する。
【発明の効果】
【０００８】
請求項１の発明によれば、可変表示装置が特定した表示結果によって停留球の釈放時期を決定し、かつ、特定領域への停留球の入賞が成立するか否かを決定することができるので、ゲーム内容を多様化および特異化してゲーム展開に変化を持たせることができる。
【０００９】
とくに、停留球を停留機構から釈放する時期を可変表示装置の表示結果によって指定することができるので、遊技球が変動入賞口に入賞してから、その入賞球が特定領域若しくは一般領域を通過して変動入賞装置から送り出されるまでの経過時間、すなわち、変動入賞装置と可変入賞装置とによる可変表示ゲームの期間を任意の長さに設定することができる。従って、可変表示ゲームに変化を持たせて可変表示ゲームを多様化することができ、また、ゲームの内容を遊技者に明確に把握させてゲーム展開を判り易くすることができるとともに、遊技者が時間に拘束されずに可変表示ゲームを楽しむことができる。
【００１０】
また、変動入賞口に入賞した入賞球が変動入賞装置内に保留されている時間を簡単な構成によって制御することができるので、変動入賞装置を小型化および簡略化することができる。
【００１１】
請求項２のパチンコ機によれば、停留球が発生したときのみ可変表示装置が図柄を変動表示するので、停留機構に停留球が停留されていない場合や、入賞球が一般領域に落入して特別状況が出現する可能性が無い場合でも可変表示装置が図柄の変動表示を継続して遊技者をいら立たせるような状況を無くすことができる。
【発明を実施するための最良の形態】
【００１２】
次に、本発明の１実施例を図面にしたがって説明する。パチンコ機の遊技盤１の中央部付近には図柄を変動表示する図柄表示体を備えた可変表示装置３が装着され、この可変表示装置３は特定領域誘導図柄部３ａと、連続回数判定図柄部３ｂと、装飾図柄部３ｃとを備え、連続回数判定図柄部３ｂはパチンコ機の電源投入時に図柄の変動表示を開始する。
【００１３】
可変表示装置３の下方で遊技盤１に装着された変動入賞装置２において、フレーム５のベース板５ａの上端と、この上端に形成された飾り板５ｂとの間には入賞時に役物連続作動装置を作動させる始動口６が開設されるとともに、始動口６にはこの始動口６に入賞した入賞球を検出する始動口入賞検出スイッチ７の検出口７ａが装入されている。
【００１４】
フレーム５の左右端部には左右１対の普通入賞口８が開設され、始動口６の斜め下方には図示しないソレノイドによって駆動されて左右方向へ搖動する左右１対の可動翼片９が設置されるとともに、始動口６の斜め下方には両可動翼片９によって開閉される左右１対の変動入賞口１０が開設されている。
【００１５】
両可動翼片９間には変動入賞口１０に入賞した入賞球を通過させる検出口１１ａを有し、両変動入賞口１０に入賞した入賞球数をカウントする左右１対のカウントスイッチ１１の各検出口１１ａが左右に隣り合って設置されている。
【００１６】
両カウントスイッチ１１の下方には両カウントスイッチ１１の検出口１１ａを通過した入賞球が転落する棚板１２が後下り状に傾斜して横架され、この棚板１２の上面には棚板１２上に転落した入賞球を棚板１２上の左右方向中央部へ誘導する左右１対の球寄せ壁１２ａと、入賞球を両球寄せ壁１２ａへ向けてはね返す三角台状の誘導片１２ｂとが突設されている。
【００１７】
フレーム５の下端に形成された球受け板５ｃの中央部の後側で棚板１２の前部の左右方向中央部の下方には変動入賞口１０に入賞した入賞球が通過したときに変動入賞口１０が特別な連続開閉態様で開閉されて大当りとなる特別状況を出現させる特定領域１５が形成されている。
【００１８】
特定領域１５にはこの特定領域１５を通行する入賞球を検出する特定領域通過検出スイッチ１４の検出口１４ａが装入されている。
【００１９】
特定領域１５の後側には前下り状に傾斜して設置されて中央部にガイド溝１３ａが前後方向に沿って貫設されたガイド板１３が形成され、このガイド板１３上には入賞球を特定領域１５へ向けて通行させる誘導通路１７が形成され、この誘導通路１７の両側方には特別状況の出現が不能で外れ球が落入する左右１対の一般領域１６が開口されている。
【００２０】
棚板１２の左右方向中央部の後側に設置されて１個の入賞球の停留が可能な有効状態と、停留した停留球Ｔの釈放が可能な失効状態とに切換えられる停留機構１８において、棚板１２の左右方向中央部の後下方には停留球Ｔを検出する停留球検出スイッチ（特定領域誘導図柄スイッチ）１９が設置され、この停留球検出スイッチ１９の前部に開口された検出口１９ａ内およびその若干上方には１個の停留球Ｔを停留させる停留室２０が形成されている。
【００２１】
停留室２０の下側には停留球Ｔの受止めおよび停留が可能な状態と、停留球Ｔの釈放が可能な状態とに変換される球止め部材２１が前方への進出および後方への退避可能に設置されている。
【００２２】
球止め部材２１の後端には上支軸２２によって搖動可能に支持された第１伝動片２３の上端部が連動可能に連繋されている。
【００２３】
球止め部材２１の後方には第１ソレノイド２４と第２ソレノイド２５とが左右に隣り合って設置され、両ソレノイド２４，２５のプランジャ２４ａ，２５ａはＯＦＦで下方へ進動してＯＮで上方へ退動する。
【００２４】
第１ソレノイド２４のプランジャ２４ａに結合された第１昇降部材２６の下端には第１伝動片２３の後端部が連動可能に連繋された連繋部２６ａが形成されている。
【００２５】
第１ソレノイド２４がＯＮになる
と、第１昇降部材２６が上昇し、球止め部材２１が前方へ進出して停留室２０の底部が球止め部材２１によって遮断され、停留機構１８は入賞球の停留が可能な有効状態となり、第２ソレノイド２４がＯＦＦになると、第１昇降部材２６が下降し、球止め部材２１が後方へ退避して停留室２０の底部が開放され、停留機構１８は入賞球の停留が不能な失効状態となる。
【００２６】
停留機構１８はパチンコ機の電源投入時には第１ソレノイド２４がＯＦＦとなって球止め部材２１が後方へ退避し、入賞球の停留が可能となった失効状態で保持される。
【００２７】
第１ソレノイド２４がＯＮとなって球止め部材２１が前方へ進出し、停留機構１８が有効状態に変換されると、変動入賞口１０に入賞してカウントスイッチ１１の検出口１１ａによって検出され、棚板１２上へ転落してから停留室２０に落入した入賞球が１個だけ停留室２０に停留する。
【００２８】
棚板１２上へ転落した入賞球のうちの殆どの入賞球は球寄せ片１２ａによって棚板１２上の中央部へ誘導され、棚板１２上の中央部から停留室２０内に転落して球止め部材２１で受止められる。
【００２９】
棚板１２上から転落した後続の入賞球は停留球Ｔによって左右に振り分けられて一般領域１６に落入する。
【００３０】
特定領域１５の後方には誘導通路１７を開通して停留機構１８から釈放された釈放球を特定領域１５へ向けて通行させる第１の状態と、誘導通路１７を閉路して停留機構１８から釈放された釈放球を特定領域１５を避けた方向へ変向させる第２の状態とに切換えられる進路切換え機構２８が設置されている。
【００３１】
進路切換え機構２８の遮断部材２９は特定領域１５の後方に設置された支軸３０によって上下方向への搖動可能に支持され、この遮断部材２９の前端には上方へ突出された障害部２９ａが形成されている。
【００３２】
第２ソレノイド２５のプランジャ２５ａに結合された第２昇降部材２７の下端には遮断部材２９に結合された第２伝動片３１と、第２昇降部材２７とを連繋する連繋部２７ａが形成されている。
【００３３】
第２ソレノイド２５がＯＮになると、第２昇降部材２７が上昇して遮断部材２９の障害部２９ａが誘導通路１７内から下方へ退避し、誘導通路１７が開通されて進路切換え溝２８が第１の状態となり、第２ソレノイド２５がＯＦＦになると、第２昇降部材２７が下降して遮断部材２９の障害部２９ａが誘導通路１７内へ進出し、進路切換え機構２８が第２の状態となって誘導通路１７が遮断部材２９によって閉路される。
【００３４】
進路切換え機構２８はパチンコ機の電源投入時には第２ソレノイド２５がＯＦＦとなって遮断部材２９が誘導通路１７を閉路した第２の状態で保持される。
【００３５】
ゲームに際し、遊技域へ打出された遊技球が変動入賞装置２の始動口６に入賞すると、変動入賞口１０が0.2 秒後に0.4 秒間一時的に開放され、役物連続作動装置が0.2 秒後に0.44秒間有効となる。
【００３６】
遊技球が開放中の変動入賞口１０に入賞して入賞球がカウントスイッチ１１によって検出されると、停留機構１８は第１ソレノイド２４がＯＮとなって球止め部材２１が前方へ進出し、入賞球の停留が可能な有効状態に変換される。
【００３７】
変動入賞口１０に入賞した入賞球が停留機構１８の停留室２０に停留して停留球Ｔが停留球検出スイッチ１９によって検出されると、可変表示装置３の特定領域誘導図柄部３ａが図柄の変動表示を開始して１個の当り図柄と９個の外れ図柄とを含む１０図柄を１図柄0.032 秒の切替え速度で変動表示し、約１秒後に図柄の変動表示を停止して図柄を特定表示する。
【００３８】
特定領域誘導表示部３ａが変動表示停止時に特定表示した停止図柄が当り図柄と判定されると、第１ソレノイド２４がＯＦＦとなって停留球Ｔが停留室２０から釈放されると同時に、第２ソレノイド２５が1.5 秒間ＯＮとなって誘導通路２７が一時的に開通され、停留室２０から釈放された釈放球が誘導通路２７を通行して特定領域１５に導入される。
【００３９】
特定領域誘導図柄部３ａが特定表示した停止図柄が外れ図柄と判定されると、第１ソレノイド２４がＯＦＦとなって停留球Ｔが停留室２０から釈放されるが、誘導通路２７が遮断部材２１の障害部２１ａによって遮断されているので、釈放球は特定領域１５を避けた方向へ変向して一般領域１６に導入される。
【００４０】
停留室３０から釈放されて特定領域１５に導入された釈放球が特定領域通過検出スイッチ１４によって検出されると、変動入賞口１０が１８回連続開閉されて大当りとなる特別状況が出現する。
【００４１】
可変表示装置３の連続回数判定図柄部３ｂは電源投入時には、変動入賞口１０が１８回連続開閉されて大当りとなる大当りラウンドの継続回数を指定する「１Ｒ」、「１５Ｒ」の２図柄の変動表示を開始し、特定領域通過検出スイッチ１４がＯＮとなってから、５通りの変動表示パターンのうちの何れかの変動表示パターンで図柄を約2.6 秒間変動表示してから、図柄の変動表示を停止する。
【００４２】
連続回数判定図柄部３ｂが図柄の変動表示停止時に特定した停止図柄が「１Ｒ」となった場合には大当りラウンドの回数は１回となり、停止図柄が「１５Ｒ」となった場合には大当りラウンドの継続回数は１５回となる。
【００４３】
連続回数判定図柄部３ｂが特定した停止図柄が「１Ｒ」、「１５Ｒ」となったときの大当りラウンドの最終ラウンドでは第１ソレノイド２４および第２ソレノイド２５は共にＯＦＦとなった状態で保持され、停留機構１８は入賞球の受入れが不能な失効状態となって進路切換え機構２８は誘導通路２７を閉路した第２の状態となる。
【００４４】
連続回数判定図柄部３ｂが特定した停止図柄が「１５Ｒ」となったときの大当りラウンドの１〜１４回の各ラウンドでは入賞球が１０個カウントされるまでは第１ソレノイド２４および第２ソレノイド２５は共にＯＦＦとなり、入賞球が１０個カウントされると、第１ソレノイド２４は入賞球が１０個カウントされた時点でＯＮとなって1.2 秒後にＯＦＦとなり、第２ソレノイド２５は第１ソレノイド２４がＯＦＦとなった時点でＯＮとなって1.5 秒後にＯＦＦとなる。
【００４５】
続いて、上記した構成を有する実施例の作用と効果を説明する。本例では始動口６の入賞によって一時的に開閉される変動入賞口１０と、この変動入賞口１０に入賞した入賞球の通過時に変動入賞口１０を特別な開閉態様で開閉させる特別状況が出現して入賞球の再度通過時に特別状況が再現する特定領域１５と、前記特別状況の出現が不能な一般領域１６とを有する変動入賞装置２が遊技盤１に装着されたパチンコ機において、変動入賞装置２には前記入賞球を停留させる有効状態および停留した停留球Ｔを釈放する失効状態に切換えられる停留機構１８と、この停留機構１８から釈放された釈放球を特定領域１５に向って通行させる第１の状態および釈放球を特定領域１５を避けた方向へ変向させる第２の状態に切換えられる進路切換え機構２８とを設け、停留機構１８を前記有効状態から前記失効状態に切変える切換え時期、および、進路切換え機構２８を前記第１の状態若しくは前記第２の状態に切換える切換え時期が、可変表示装置３の特定領域誘導図柄部３ａが図柄の変動表示停止時に特定した停止図柄に基づいてそれぞれ指定されるように設定し、停留機構１８にはこの停留機構１８に停留した停留球Ｔを検出して可変表示装置３の特定領域誘導図柄部３ａによる図柄の変動表示を開始させる停留球検出スイッチ１９を設けてある。
【００４６】
このため、可変表示装置３の特定領域誘導図柄部３ａが特定した表示結果によって停留球Ｔの釈放時期を決定し、かつ、特定領域１５への釈放球の入賞が成立するか否かを決定することができるので、ゲーム内容を多様化および特異化してゲーム展開に変化を持たせることができる。
【００４７】
とくに、停留球Ｔを停留機構１８から釈放する時期を可変表示装置３の特定領域誘導図柄部３ａの表示結果によって指定することができるので、遊技球が変動入賞口１０に入賞してから、その入賞球が特定領域１５若しくは一般領域１６を通過して変動入賞装置２から送り出されるまでの経過時間、すなわち、変動入賞装置２と可変入賞装置３とによる可変表示ゲームの期間を任意の長さに設定することができる。従って、可変表示ゲームに変化を持たせて可変表示ゲームを多様化することができ、また、ゲームの内容を遊技者に明確に把握させてゲーム展開を判り易くすることができるとともに、遊技者が時間に拘束されずに可変表示ゲームを楽しむことができる。
【００４８】
また、変動入賞口１０に入賞した入賞球が変動入賞装置２内に保留されている時間を簡単な構成によって制御することができるので、変動入賞装置２を小型化および簡略化することができる。
【００４９】
さらに、停留球Ｔが発生したときのみ可変表示装置３の特定領域誘導図柄部３ａが図柄を変動表示するので、停留機構１８に停留球Ｔが停留されていない場合や、入賞球が一般領域１６に落入して特別状況が出現する可能性が無い場合に可変表示装置が図柄の変動表示を継続して遊技者をいら立たせるような状況を無くすことができる。
【図面の簡単な説明】
【００５０】
【図１】本発明の１実施例を示す遊技盤の要部の正面図である。
【図２】変動入賞装置の側断面図である。
【図３】図２のＸ１−Ｘ１線矢視図である。
【図４】図２のＸ２−Ｘ２線矢視図である。
【図５】停留機構付近の側断面図である。
【図６】通路開閉路機構付近の側断面図である。
【図７】始動口入賞時のタイムチャートである。
【図８】停留球検出時のタイムチャートである。
【図９】変動入賞口の１８回連続開閉態様を示すタイムチャートである。
【図１０】特定領域誘導図柄部の停止図柄が外れ図柄となった場合のタイムチャートである。
【図１１】特定領域誘導図柄部の停止図柄が当り図柄となった場合のタイムチャートである。
【図１２】カウントスイッチが入賞球を１０個カウントした場合のタイムチャートである。
【符号の説明】
【００５１】
１  遊技盤２  変動入賞装置３  可変表示装置３ａ  特定領域誘導図柄部６  始動口１０  変動入賞口１５  特定領域１６  一般領域１８  停留機構１９  停留球検出スイッチ（特定領域誘導図柄スイッチ）２８  進路切換え機構  
【図１】
2008237922.tif 000003
【図２】
2008237922.tif 000004
【図３】
2008237922.tif 000005
【図４】
2008237922.tif 000006
【図５】
2008237922.tif 000007
【図６】
2008237922.tif 000008
【図７】
2008237922.tif 000009
【図８】
2008237922.tif 000010
【図９】
2008237922.tif 000011
【図１０】
2008237922.tif 000012
【図１１】
2008237922.tif 000013
【図１２】
2008237922.tif 000014
【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
始動口の入賞によって一時的に開閉される変動入賞口と、この変動入賞口に入賞した入賞球の通過時に前記変動入賞口を特別な開閉態様で開閉させる特別状況が出現して前記入賞球の再度通過時に前記特別状況が再現する特定領域と、前記特別状況の出現が不能な一般領域とを有する変動入賞装置が遊技盤に装着されたパチンコ機において、
前記変動入賞装置には、第１ソレノイドの駆動による球止め部材の前方進出又は後方退避で、入賞球を停留させる有効状態又は停留した停留球を釈放する失効状態に切換えられる停留機構と、
この停留機構から釈放された釈放球を、第２ソレノイドの駆動による遮断部材の揺動で、前記特定領域に向って通行させる第１の状態又は釈放球を前記特定領域を避けた方向へ変向させる第２の状態に切換えられる進路切換え機構と、
図柄を変動表示する可変表示装置と、を設け、
前記変動入賞口に入賞した入賞球の挙動によって前記可変表示装置の図柄変動が開始され、その後、その図柄変動が停止すると前記停留機構の前記第１ソレノイドの駆動によって前記有効状態から前記失効状態への切換えにより停留球を釈放すると共に、この釈放された停留球を前記停止図柄に基づいて、前記特定領域への入賞が可能である前記第１の状態又は前記特定領域を避けた方向に変向させる前記第２の状態への切換えを前記第２ソレノイドの駆動によって行い、
停電時において、前記第１ソレノイドの無励磁により前記球止め部材を後方に退避させると共に前記第２ソレノイドの無励磁により前記遮断部材の揺動で前記停留球を前記特定領域を避けた方向に導くことを特徴とするパチンコ機。
【手続補正２】
【補正対象書類名】明細書
【補正対象項目名】全文
【補正方法】変更
【補正の内容】
【発明の詳細な説明】
【技術分野】
【０００１】
この発明は特定領域を有する変動入賞装置および可変表示装置を備えたパチンコ機に関する。
【背景技術】
【０００２】
従来の技術とてしては例えば特許文献１がある。この公報には可変入賞装置への入賞に基いて表示結果を導出する可変表示装置と、可変表示装置の表示結果が特定表示結果となったときに特定入賞領域への入賞率を向上せしめる入賞率可変機構とを備えたパチンコ機が開示されている。
【特許文献１】特開昭６−２４６０３７号公報
【発明の開示】
【発明が解決しようとする課題】
【０００３】
上記パチンコ機では遊技球が可変入賞装置に入賞してから入賞球が特定入賞領域若しくは通常入賞領域を通過するまでの限られた時間内に可変表示装置による可変表示ゲームを行い、かつ、入賞率可変機構を作動させる必要があるので、可変表示ゲームが開始されてから終了するまでの時間が短くなって可変表示ゲームに変化を持たせることが困難となる問題点や、可変表示装置が表示する表示結果を確認することができないままゲームが進行する問題点がある。また、可変表示ゲームが行われる時間を長くしようとすると、可変入賞装置が複雑化および大型化してコスト高となる問題点がある。本発明は上記問題点を解消して可変表示ゲームのゲーム内容を多様化することを課題とするものである。
【課題を解決するための手段】
【０００４】
請求項１のパチンコ機は、始動口の入賞によって一時的に開閉される変動入賞口と、この変動入賞口に入賞した入賞球の通過時に前記変動入賞口を特別な開閉態様で開閉させる特別状況が出現して前記入賞球の再度通過時に前記特別状況が再現する特定領域と、前記特別状況の出現が不能な一般領域とを有する変動入賞装置が遊技盤に装着されたパチンコ機において、前記変動入賞装置には、第１ソレノイドの駆動による球止め部材の前方進出又は後方退避で、入賞球を停留させる有効状態又は停留した停留球を釈放する失効状態に切換えられる停留機構と、この停留機構から釈放された釈放球を、第２ソレノイドの駆動による遮断部材の揺動で、前記特定領域に向って通行させる第１の状態又は釈放球を前記特定領域を避けた方向へ変向させる第２の状態に切換えられる進路切換え機構と、図柄を変動表示する可変表示装置と、を設けてある。そして、前記変動入賞口に入賞した入賞球の挙動によって前記可変表示装置の図柄変動が開始され、その後、その図柄変動が停止すると前記停留機構の前記第１ソレノイドの駆動によって前記有効状態から前記失効状態への切換えにより停留球を釈放すると共に、この釈放された停留球を前記停止図柄に基づいて、前記特定領域への入賞が可能である前記第１の状態又は前記特定領域を避けた方向に変向させる前記第２の状態への切換えを前記第２ソレノイドの駆動によって行う。
【０００５】
また、この請求項１のパチンコ機は、停電時において、前記第１ソレノイドの無励磁により前記球止め部材を後方に退避させると共に前記第２ソレノイドの無励磁により前記遮断部材の揺動で前記停留球を前記特定領域を避けた方向に導く。
【０００６】
請求項１のパチンコ機では、変動入賞口に入賞した入賞球の挙動によって可変表示装置が作動して、図柄変動を開始する。そして、この可変表示装置が図柄変動を停止すると、第１ソレノイドによって有効状態から無効状態への切換えが行われて、停留球を釈放すると共に、この釈放された停留球を、停止図柄に基づいて、特定領域への入賞が可能である第１状態又は第２状態への切換えを第２ソレノイドの駆動によって行う。
【０００７】
また、このパチンコ機では、停電になったとき、球止め部材で停留球を停留することなく、第１ソレノイドの無励磁により球止め部材を後方に退避させて、その停留球を釈放する失効状態に切換え、第２ソレノイドの無励磁により遮断部材の揺動で前記停留球を特定領域を避けた方向に導くようにしてある。
【発明の効果】
【０００８】
請求項１の発明によれば、可変表示装置が特定した表示結果によって停留球の釈放時期を決定し、かつ、特定領域への停留球の入賞が成立するか否かを決定することができるので、ゲーム内容を多様化および特異化してゲーム展開に変化を持たせることができる。
【０００９】
とくに、停電になったときの停留球の処置に関し、入賞領域に入った停留球をそのまま保留することなく特定領域に遊技球を導かないようになっている。
【発明を実施するための最良の形態】
【００１０】
次に、本発明の１実施例を図面にしたがって説明する。パチンコ機の遊技盤１の中央部付近には図柄を変動表示する図柄表示体を備えた可変表示装置３が装着され、この可変表示装置３は特定領域誘導図柄部３ａと、連続回数判定図柄部３ｂと、装飾図柄部３ｃとを備え、連続回数判定図柄部３ｂはパチンコ機の電源投入時に図柄の変動表示を開始する。
【００１１】
可変表示装置３の下方で遊技盤１に装着された変動入賞装置２において、フレーム５のベース板５ａの上端と、この上端に形成された飾り板５ｂとの間には入賞時に役物連続作動装置を作動させる始動口６が開設されるとともに、始動口６にはこの始動口６に入賞した入賞球を検出する始動口入賞検出スイッチ７の検出口７ａが装入されている。
【００１２】
フレーム５の左右端部には左右１対の普通入賞口８が開設され、始動口６の斜め下方には図示しないソレノイドによって駆動されて左右方向へ搖動する左右１対の可動翼片９が設置されるとともに、始動口６の斜め下方には両可動翼片９によって開閉される左右１対の変動入賞口１０が開設されている。
【００１３】
両可動翼片９間には変動入賞口１０に入賞した入賞球を通過させる検出口１１ａを有し、両変動入賞口１０に入賞した入賞球数をカウントする左右１対のカウントスイッチ１１の各検出口１１ａが左右に隣り合って設置されている。
【００１４】
両カウントスイッチ１１の下方には両カウントスイッチ１１の検出口１１ａを通過した入賞球が転落する棚板１２が後下り状に傾斜して横架され、この棚板１２の上面には棚板１２上に転落した入賞球を棚板１２上の左右方向中央部へ誘導する左右１対の球寄せ壁１２ａと、入賞球を両球寄せ壁１２ａへ向けてはね返す三角台状の誘導片１２ｂとが突設されている。
【００１５】
フレーム５の下端に形成された球受け板５ｃの中央部の後側で棚板１２の前部の左右方向中央部の下方には変動入賞口１０に入賞した入賞球が通過したときに変動入賞口１０が特別な連続開閉態様で開閉されて大当りとなる特別状況を出現させる特定領域１５が形成されている。
【００１６】
特定領域１５にはこの特定領域１５を通行する入賞球を検出する特定領域通過検出スイッチ１４の検出口１４ａが装入されている。
【００１７】
特定領域１５の後側には前下り状に傾斜して設置されて中央部にガイド溝１３ａが前後方向に沿って貫設されたガイド板１３が形成され、このガイド板１３上には入賞球を特定領域１５へ向けて通行させる誘導通路１７が形成され、この誘導通路１７の両側方には特別状況の出現が不能で外れ球が落入する左右１対の一般領域１６が開口されている。
【００１８】
棚板１２の左右方向中央部の後側に設置されて１個の入賞球の停留が可能な有効状態と、停留した停留球Ｔの釈放が可能な失効状態とに切換えられる停留機構１８において、棚板１２の左右方向中央部の後下方には停留球Ｔを検出する停留球検出スイッチ（特定領域誘導図柄スイッチ）１９が設置され、この停留球検出スイッチ１９の前部に開口された検出口１９ａ内およびその若干上方には１個の停留球Ｔを停留させる停留室２０が形成されている。
【００１９】
停留室２０の下側には停留球Ｔの受止めおよび停留が可能な状態と、停留球Ｔの釈放が可能な状態とに変換される球止め部材２１が前方への進出および後方への退避可能に設置されている。
【００２０】
球止め部材２１の後端には上支軸２２によって搖動可能に支持された第１伝動片２３の上端部が連動可能に連繋されている。
【００２１】
球止め部材２１の後方には第１ソレノイド２４と第２ソレノイド２５とが左右に隣り合って設置され、両ソレノイド２４，２５のプランジャ２４ａ，２５ａはＯＦＦで下方へ進動してＯＮで上方へ退動する。
【００２２】
第１ソレノイド２４のプランジャ２４ａに結合された第１昇降部材２６の下端には第１伝動片２３の後端部が連動可能に連繋された連繋部２６ａが形成されている。
【００２３】
第１ソレノイド２４がＯＮになると、第１昇降部材２６が上昇し、球止め部材２１が前方へ進出して停留室２０の底部が球止め部材２１によって遮断され、停留機構１８は入賞球の停留が可能な有効状態となり、第１ソレノイド２４がＯＦＦになると、第１昇降部材２６が下降し、球止め部材２１が後方へ退避して停留室２０の底部が開放され、停留機構１８は入賞球の停留が不能な失効状態となる。
【００２４】
停留機構１８はパチンコ機の電源投入時には第１ソレノイド２４がＯＦＦとなって球止め部材２１が後方へ退避し、入賞球の停留が不能となった失効状態で保持される。
【００２５】
第１ソレノイド２４がＯＮとなって球止め部材２１が前方へ進出し、停留機構１８が有効状態に変換されると、変動入賞口１０に入賞してカウントスイッチ１１の検出口１１ａによって検出され、棚板１２上へ転落してから停留室２０に落入した入賞球が１個だけ停留室２０に停留する。
【００２６】
棚板１２上へ転落した入賞球のうちの殆どの入賞球は球寄せ片１２ａによって棚板１２上の中央部へ誘導され、棚板１２上の中央部から停留室２０内に転落して球止め部材２１で受止められる。
【００２７】
棚板１２上から転落した後続の入賞球は停留球Ｔによって左右に振り分けられて一般領域１６に落入する。
【００２８】
特定領域１５の後方には誘導通路１７を開通して停留機構１８から釈放された釈放球を特定領域１５へ向けて通行させる第１の状態と、誘導通路１７を閉路して停留機構１８から釈放された釈放球を特定領域１５を避けた方向へ変向させる第２の状態とに切換えられる進路切換え機構２８が設置されている。
【００２９】
進路切換え機構２８の遮断部材２９は特定領域１５の後方に設置された支軸３０によって上下方向への搖動可能に支持され、この遮断部材２９の前端には上方へ突出された障害部２９ａが形成されている。
【００３０】
第２ソレノイド２５のプランジャ２５ａに結合された第２昇降部材２７の下端には遮断部材２９に結合された第２伝動片３１と、第２昇降部材２７とを連繋する連繋部２７ａが形成されている。
【００３１】
第２ソレノイド２５がＯＮになると、第２昇降部材２７が上昇して遮断部材２９の障害部２９ａが誘導通路１７内から下方へ退避し、誘導通路１７が開通されて進路切換え溝２８が第１の状態となり、第２ソレノイド２５がＯＦＦになると、第２昇降部材２７が下降して遮断部材２９の障害部２９ａが誘導通路１７内へ進出し、進路切換え機構２８が第２の状態となって誘導通路１７が遮断部材２９によって閉路される。
【００３２】
進路切換え機構２８はパチンコ機の電源投入時には第２ソレノイド２５がＯＦＦとなって遮断部材２９が誘導通路１７を閉路した第２の状態で保持される。
【００３３】
ゲームに際し、遊技域へ打出された遊技球が変動入賞装置２の始動口６に入賞すると、変動入賞口１０が0.2 秒後に0.4 秒間一時的に開放され、役物連続作動装置が0.2 秒後に0.44秒間有効となる。
【００３４】
遊技球が開放中の変動入賞口１０に入賞して入賞球がカウントスイッチ１１によって検出されると、停留機構１８は第１ソレノイド２４がＯＮとなって球止め部材２１が前方へ進出し、入賞球の停留が可能な有効状態に変換される。
【００３５】
変動入賞口１０に入賞した入賞球が停留機構１８の停留室２０に停留して停留球Ｔが停留球検出スイッチ１９によって検出されると、可変表示装置３の特定領域誘導図柄部３ａが図柄の変動表示を開始して１個の当り図柄と９個の外れ図柄とを含む１０図柄を１図柄0.032 秒の切替え速度で変動表示し、約１秒後に図柄の変動表示を停止して図柄を特定表示する。
【００３６】
特定領域誘導表示部３ａが変動表示停止時に特定表示した停止図柄が当り図柄と判定されると、第１ソレノイド２４がＯＦＦとなって停留球Ｔが停留室２０から釈放されると同時に、第２ソレノイド２５が1.5 秒間ＯＮとなって誘導通路２７が一時的に開通され、停留室２０から釈放された釈放球が誘導通路２７を通行して特定領域１５に導入される。
【００３７】
特定領域誘導図柄部３ａが特定表示した停止図柄が外れ図柄と判定されると、第１ソレノイド２４がＯＦＦとなって停留球Ｔが停留室２０から釈放されるが、誘導通路２７が遮断部材２９の障害部２９ａによって遮断されているので、釈放球は特定領域１５を避けた方向へ変向して一般領域１６に導入される。
【００３８】
停留室３０から釈放されて特定領域１５に導入された釈放球が特定領域通過検出スイッチ１４によって検出されると、変動入賞口１０が１８回連続開閉されて大当りとなる特別状況が出現する。
【００３９】
可変表示装置３の連続回数判定図柄部３ｂは電源投入時には、変動入賞口１０が１８回連続開閉されて大当りとなる大当りラウンドの継続回数を指定する「１Ｒ」、「１５Ｒ」の２図柄の変動表示を開始し、特定領域通過検出スイッチ１４がＯＮとなってから、５通りの変動表示パターンのうちの何れかの変動表示パターンで図柄を約2.6 秒間変動表示してから、図柄の変動表示を停止する。
【００４０】
連続回数判定図柄部３ｂが図柄の変動表示停止時に特定した停止図柄が「１Ｒ」となった場合には大当りラウンドの回数は１回となり、停止図柄が「１５Ｒ」となった場合には大当りラウンドの継続回数は１５回となる。
【００４１】
連続回数判定図柄部３ｂが特定した停止図柄が「１Ｒ」、「１５Ｒ」となったときの大当りラウンドの最終ラウンドでは第１ソレノイド２４および第２ソレノイド２５は共にＯＦＦとなった状態で保持され、停留機構１８は入賞球の受入れが不能な失効状態となって進路切換え機構２８は誘導通路２７を閉路した第２の状態となる。
【００４２】
連続回数判定図柄部３ｂが特定した停止図柄が「１５Ｒ」となったときの大当りラウンドの１〜１４回の各ラウンドでは入賞球が１０個カウントされるまでは第１ソレノイド２４および第２ソレノイド２５は共にＯＦＦとなり、入賞球が１０個カウントされると、第１ソレノイド２４は入賞球が１０個カウントされた時点でＯＮとなって1.2 秒後にＯＦＦとなり、第２ソレノイド２５は第１ソレノイド２４がＯＦＦとなった時点でＯＮとなって1.5 秒後にＯＦＦとなる。
【００４３】
続いて、上記した構成を有する実施例の作用と効果を説明する。本例では始動口６の入賞によって一時的に開閉される変動入賞口１０と、この変動入賞口１０に入賞した入賞球の通過時に変動入賞口１０を特別な開閉態様で開閉させる特別状況が出現して入賞球の再度通過時に特別状況が再現する特定領域１５と、前記特別状況の出現が不能な一般領域１６とを有する変動入賞装置２が遊技盤１に装着されたパチンコ機において、変動入賞装置２には前記入賞球を停留させる有効状態および停留した停留球Ｔを釈放する失効状態に切換えられる停留機構１８と、この停留機構１８から釈放された釈放球を特定領域１５に向って通行させる第１の状態および釈放球を特定領域１５を避けた方向へ変向させる第２の状態に切換えられる進路切換え機構２８と、を設け、停留機構１８を前記有効状態から前記失効状態に切変える切換え時期、および、進路切換え機構２８を前記第１の状態若しくは前記第２の状態に切換える切換え時期が、可変表示装置３の特定領域誘導図柄部３ａが図柄の変動表示停止時に特定した停止図柄に基づいてそれぞれ指定されるように設定し、停留機構１８にはこの停留機構１８に停留した停留球Ｔを検出して可変表示装置３の特定領域誘導図柄部３ａによる図柄の変動表示を開始させる停留球検出スイッチ１９を設けてある。
【００４４】
このため、可変表示装置３の特定領域誘導図柄部３ａが特定した表示結果によって停留球Ｔの釈放時期を決定し、かつ、特定領域１５への釈放球の入賞が成立するか否かを決定することができるので、ゲーム内容を多様化および特異化してゲーム展開に変化を持たせることができる。
【００４５】
とくに、停留球Ｔを停留機構１８から釈放する時期を可変表示装置３の特定領域誘導図柄部３ａの表示結果によって指定することができるので、遊技球が変動入賞口１０に入賞してから、その入賞球が特定領域１５若しくは一般領域１６を通過して変動入賞装置２から送り出されるまでの経過時間、すなわち、変動入賞装置２と可変表示装置３とによる可変表示ゲームの期間を任意の長さに設定することができる。従って、可変表示ゲームに変化を持たせて可変表示ゲームを多様化することができ、また、ゲームの内容を遊技者に明確に把握させてゲーム展開を判り易くすることができるとともに、遊技者が時間に拘束されずに可変表示ゲームを楽しむことができる。
【００４６】
また、変動入賞口１０に入賞した入賞球が変動入賞装置２内に保留されている時間を簡単な構成によって制御することができるので、変動入賞装置２を小型化および簡略化することができる。
【００４７】
さらに、停留球Ｔが発生したときのみ可変表示装置３の特定領域誘導図柄部３ａが図柄を変動表示するので、停留機構１８に停留球Ｔが停留されていない場合や、入賞球が一般領域１６に落入して特別状況が出現する可能性が無い場合に可変表示装置が図柄の変動表示を継続して遊技者をいら立たせるような状況を無くすことができる。
【図面の簡単な説明】
【００４８】
【図１】本発明の１実施例を示す遊技盤の要部の正面図である。
【図２】変動入賞装置の側断面図である。
【図３】図２のＸ１−Ｘ１線矢視図である。
【図４】図２のＸ２−Ｘ２線矢視図である。
【図５】停留機構付近の側断面図である。
【図６】通路開閉路機構付近の側断面図である。
【図７】始動口入賞時のタイムチャートである。
【図８】停留球検出時のタイムチャートである。
【図９】変動入賞口の１８回連続開閉態様を示すタイムチャートである。
【図１０】特定領域誘導図柄部の停止図柄が外れ図柄となった場合のタイムチャートである。
【図１１】特定領域誘導図柄部の停止図柄が当り図柄となった場合のタイムチャートである。
【図１２】カウントスイッチが入賞球を１０個カウントした場合のタイムチャートである。
【符号の説明】
【００４９】
１  遊技盤
２  変動入賞装置
３  可変表示装置
３ａ  特定領域誘導図柄部
６  始動口
１０  変動入賞口
１５  特定領域
１６  一般領域
１８  停留機構
１９  停留球検出スイッチ（特定領域誘導図柄スイッチ）
２８  進路切換え機構